(57)【要約】【課題】熱によって媒体がダメージを受けるおそれを低減しつつ、媒体の乾燥効率を向上できる乾燥装置及び液体吐出装置を提供すること。【解決手段】乾燥装置３１は、搬送される媒体を乾燥させる乾燥装置であって、媒体を支持する支持部３２と、支持部に対向する第１ヒーター３３と、支持部に取り付けられる第２ヒーター３４と、を備え、支持部は、第２ヒーターが取り付けられる第１支持部３６と、搬送される媒体の搬送方向において第１支持部よりも下流に位置する第２支持部３７とを有し、第１支持部と第２支持部との境界である第１境界１１１は、搬送方向において支持部上を搬送される媒体が第１ヒーターの加熱によって最も高温になるピーク位置１０１よりも上流に位置する。【選択図】図３
2020121501.tif 000002
【特許請求の範囲】
【請求項１】
搬送される媒体を乾燥させる乾燥装置であって、
前記媒体を支持する支持部と、
前記支持部に対向する第１ヒーターと、
前記支持部に取り付けられる第２ヒーターと、を備え、
前記支持部は、前記第２ヒーターが取り付けられる第１支持部と、搬送される前記媒体の搬送方向において前記第１支持部よりも下流に位置する第２支持部とを有し、
前記第１支持部と前記第２支持部との境界は、前記搬送方向において前記支持部上を搬送される前記媒体が前記第１ヒーターの加熱によって最も高温になるピーク位置よりも上流に位置することを特徴とする乾燥装置。
【請求項２】
前記第２支持部を構成する材料の熱伝導率は、前記第１支持部を構成する材料の熱伝導率よりも低いことを特徴とする請求項１に記載の乾燥装置。
【請求項３】
前記第１支持部と前記第２支持部との境界には、隙間があることを特徴とする請求項１に記載の乾燥装置。
【請求項４】
前記第１支持部と前記第２支持部との境界には、断熱材が設けられることを特徴とする請求項１に記載の乾燥装置。
【請求項５】
前記支持部は、吐出部によって液体が吐出される前記媒体を支持し、
前記支持部は、前記搬送方向において前記第１支持部よりも上流に位置する第３支持部を有し、
前記第１支持部と前記第３支持部との境界は、前記搬送方向において前記吐出部によって前記液体が吐出される位置よりも下流に位置することを特徴とする請求項１から請求項４のうち何れか一項に記載の乾燥装置。
【請求項６】
前記第１支持部と第３支持部との境界は、前記吐出部を収容する筐体の外に位置することを特徴とする請求項５に記載の乾燥装置。
【請求項７】
前記第１支持部と前記第３支持部との境界は、前記第１ヒーターに対向する位置に位置することを特徴とする請求項５又は請求項６に記載の乾燥装置。
【請求項８】
前記第１支持部と前記第２支持部との境界は、前記第１ヒーターに対向する位置に位置することを特徴とする請求項１から請求項７の何れか一項に記載の乾燥装置。
【請求項９】
媒体を支持する支持部と、
前記支持部上の前記媒体を搬送する搬送部と、
前記支持部に対向する第１ヒーターと、
前記支持部に取り付けられる第２ヒーターと、を備え、
前記支持部は、前記第２ヒーターが取り付けられる第１支持部と、搬送される前記媒体の搬送方向において前記第１支持部よりも下流に位置する第２支持部とを有し、
前記第１支持部と前記第２支持部との境界は、前記搬送方向において前記支持部上を搬送される前記媒体が前記第１ヒーターの加熱によって最も高温になるピーク位置よりも上流に位置することを特徴とする液体吐出装置。
【発明の詳細な説明】
【技術分野】
【０００１】
本発明は、乾燥装置及び液体吐出装置に関する。
【背景技術】
【０００２】
特許文献１には、搬送される媒体を支持する支持部と、支持部に支持される媒体に赤外線を照射することにより媒体を乾燥させる照射部とを備える乾燥装置が記載されている。
【先行技術文献】
【特許文献】
【０００３】
【特許文献１】特開２０１５−２４６３６号公報
【発明の概要】
【発明が解決しようとする課題】
【０００４】
こうした乾燥装置においては、媒体の乾燥効率の向上が求められる。媒体の乾燥効率を上げるためには、媒体を加熱する温度を上げることが考えられる。その一方で、媒体の温度が高くなりすぎると、媒体のダメージに繋がるおそれがある。
【課題を解決するための手段】
【０００５】
上記課題を解決する乾燥装置は、搬送される媒体を乾燥させる乾燥装置であって、前記媒体を支持する支持部と、前記支持部に対向する第１ヒーターと、前記支持部に取り付けられる第２ヒーターと、を備え、前記支持部は、前記第２ヒーターが取り付けられる第１支持部と、搬送される前記媒体の搬送方向において前記第１支持部よりも下流に位置する第２支持部とを有し、前記第１支持部と前記第２支持部との境界は、前記搬送方向において前記支持部上を搬送される前記媒体が前記第１ヒーターの加熱によって最も高温になるピーク位置よりも上流に位置する。
【０００６】
上記課題を解決する液体吐出装置は、媒体を支持する支持部と、前記支持部上の前記媒体を搬送する搬送部と、前記支持部に対向する第１ヒーターと、前記支持部に取り付けられる第２ヒーターと、を備え、前記支持部は、前記第２ヒーターが取り付けられる第１支持部と、搬送される前記媒体の搬送方向において前記第１支持部よりも下流に位置する第２支持部とを有し、前記第１支持部と前記第２支持部との境界は、前記搬送方向において前記支持部上を搬送される前記媒体が前記第１ヒーターの加熱によって最も高温になるピーク位置よりも上流に位置する。
【図面の簡単な説明】
【０００７】
【図１】乾燥装置を備える液体吐出装置の一実施形態を模式的に示す側面図。
【図２】第１ヒーターによって加熱される媒体の温度遷移を示すグラフ。
【図３】図１における乾燥装置の拡大図。
【図４】乾燥装置の変更例を示す側面図。
【図５】乾燥装置の別の変更例を示す側面図。
【発明を実施するための形態】
【０００８】
以下、乾燥装置を備える液体吐出装置の一実施形態について図を参照しながら説明する。液体吐出装置は、例えば、用紙等の媒体に液体の一例であるインクを吐出することによって、文字、写真等の画像を記録するインクジェット式のプリンターである。
【０００９】
図１に示すように、液体吐出装置１１は、搬送される媒体９９に液体を吐出する吐出部２８を備える。液体吐出装置１１は、搬送される媒体９９を乾燥させる乾燥装置３１を備える。本実施形態の乾燥装置３１は、吐出部２８により液体を吐出された媒体９９を乾燥させる。
【００１０】
液体吐出装置１１は、筐体１２を備える。液体吐出装置１１は、筐体１２を支持する基台１３を備える。本実施形態においては、基台１３の上方に筐体１２が位置する。
液体吐出装置１１は、媒体９９を搬送する搬送部１４を備える。搬送部１４は、筐体１２内に設けられる。本実施形態の搬送部１４は、筐体１２外に載置された媒体９９を搬送する。
【００１１】
液体吐出装置１１は、媒体９９が巻き重ねられたロール体１００を載置可能な載置部１６を備える。載置部１６は、例えば基台１３に取り付けられる。載置部１６は、液体が吐出される前の媒体９９が巻き重ねられたロール体１００を回転可能な状態で支持する。搬送部１４が駆動すると、ロール体１００から媒体９９が繰り出される。
【００１２】
液体吐出装置１１が、液体吐出装置１１が設置される設置面に載置されたロール体１００から繰り出される媒体９９に液体を吐出するように構成されてもよい。なお、本実施形態では、液体吐出装置１１が載置部１６を備えるが、液体吐出装置１１が、液体吐出装置１１とは別の装置から繰り出される媒体９９に液体を吐出する構成であってもよい。液体吐出装置１１は、ロール体１００から繰り出される媒体９９に液体を吐出する構成に限らない。例えば、液体吐出装置１１は、ファンホールド紙のような長尺の媒体９９に液体を吐出する構成であってもよいし、媒体９９としての単票紙に液体を吐出する構成であってもよい。
【００１３】
液体吐出装置１１は、媒体９９を巻き取る巻取部１７を備えてもよい。巻取部１７は、例えば基台１３に取り付けられる。巻取部１７は、液体が吐出された媒体９９をロール体１００として巻き取る。なお、本実施形態では、液体吐出装置１１が媒体９９を巻取部１７に搬送するが、液体吐出装置１１が、液体が吐出された媒体９９を液体吐出装置１１とは別の装置に搬送する構成であってもよい。液体吐出装置１１は、液体が吐出された媒体９９を液体吐出装置１１とは別の装置に巻き取らせるように構成されてもよい。
【００１４】
液体吐出装置１１は、媒体９９にテンションを付与するテンションバー１８を備える。巻取部１７における媒体９９の送り量と、搬送部１４における媒体の送り量との差により、巻取部１７と搬送部１４との間の媒体９９の長さは変わる。テンションバー１８は、巻取部１７と搬送部１４との間の媒体９９の長さに応じて、変位する。このように、媒体９９に接触するテンションバー１８が変位することによって媒体９９に適切なテンションが付与される。テンションバー１８が媒体９９にテンションを付与することにより、媒体９９に対して精度よく液体を着弾させることができる。本実施形態のテンションバー１８は、媒体９９において乾燥装置３１を通過した部分に接触する。
【００１５】
テンションバー１８は、例えば基台１３に取り付けられる。テンションバー１８は、基台１３に対して変位可能に取り付けられてもよい。こうすると、テンションバー１８を変位させることによって、媒体９９に付与するテンションの大きさを調節できる。
【００１６】
本実施形態の液体吐出装置１１は、第１支持台２１及び第２支持台２２を備える。第１支持台２１及び第２支持台２２は、搬送部１４によって搬送される媒体９９を支持する。搬送される媒体９９の搬送方向において、第１支持台２１、第２支持台２２の順に位置する。第２支持台２２は、筐体１２内に位置する。なお、本実施形態においては、搬送経路に沿って媒体９９が搬送される方向を、搬送方向とする。
【００１７】
吐出部２８は、筐体１２内に位置する。本実施形態の吐出部２８は、第２支持台２２と対向する位置に位置する。そのため、吐出部２８は、第２支持台２２に支持される媒体９９に液体を吐出する。
【００１８】
本実施形態の液体吐出装置１１は、吐出部２８を搭載するキャリッジ２９を備える。キャリッジ２９は、搬送される媒体９９に対して走査する。すなわち、本実施形態の液体吐出装置１１は、吐出部２８が媒体９９に対して走査するシリアルプリンターである。液体吐出装置１１は、吐出部２８が長尺に設けられるラインプリンターでもよい。
【００１９】
本実施形態の搬送部１４は、第１ローラー２５と、第２ローラー２６とを有する。第１ローラー２５及び第２ローラー２６は、媒体９９を挟み込む状態で回転することにより媒体９９を搬送する。第１ローラー２５及び第２ローラー２６は、第１支持台２１と第２支持台２２との間で媒体９９を挟み込むように位置する。
【００２０】
次に、乾燥装置３１について説明する。
乾燥装置３１は、媒体９９を支持する支持部３２と、支持部３２に対向する第１ヒーター３３と、支持部３２に取り付けられる第２ヒーター３４とを備える。本実施形態の支持部３２は、吐出部２８によって液体が吐出される媒体９９を支持する。第１ヒーター３３は、支持部３２において媒体９９と接触する面である表面と対向する。第２ヒーター３４は、支持部３２において表面とは反対の面である裏面に取り付けられる。
【００２１】
支持部３２は、第２ヒーター３４が取り付けられる第１支持部３６と、搬送される媒体９９の搬送方向において第１支持部３６よりも下流に位置する第２支持部３７とを有する。本実施形態において、第２支持部３７は、その上流端を含む一部分が第１ヒーター３３と対向するように位置する。
【００２２】
本実施形態の支持部３２は、搬送方向において第１支持部３６よりも上流に位置する第３支持部３８を有する。そのため、搬送方向において、第３支持部３８、第１支持部３６、第２支持部３７の順に位置する。本実施形態において、第３支持部３８は、その下流端を含む一部分が第１ヒーター３３と対向するように位置する。第３支持部３８の上流端は、筐体１２内に位置する。なお、本実施形態において、第３支持部３８の下流端を含む一部分が第１ヒーター３３と対向する、状態とは、第３支持部３８のうち下流端を含む任意の１点を通る法線であって、第３支持部３８に支持される媒体９９の法線上に、第１ヒーター３３が位置する状態を指す。
【００２３】
本実施形態の第１ヒーター３３は、支持部３２に支持される媒体９９を加熱するヒーター管４１と、ヒーター管４１を収容するケース４２と、ケース４２内において気体を循環させる循環部４３とを有する。ケース４２は、ケース４２の開口が支持部３２の表面を向くように位置する。
【００２４】
ヒーター管４１は、支持部３２において媒体９９に接触する面である支持部３２の表面に対向するように位置する。ヒーター管４１は、媒体９９の幅方向において長尺となるように構成される。ヒーター管４１は、支持部３２に支持される媒体９９を加熱する。これにより、支持部３２に支持される媒体９９が乾燥される。
【００２５】
本実施形態の第１ヒーター３３は、２つのヒーター管４１を有する。２つのヒーター管４１は、互いに平行となる姿勢で位置する。２つのヒーター管４１は、支持部３２に沿うように位置する。
【００２６】
循環部４３は、気体が流れる循環路４４と、循環路４４に位置するファン４５とを有する。循環路４４は、気体を取り込む吸気口４６と、気体を送り出す送風口４７とを繋ぐ流路である。循環路４４は、ヒーター管４１を囲むように延びる。吸気口４６は、第２支持部３７と対向するように位置する。送風口４７は、第３支持部３８と対向するように位置する。循環部４３は、第１ヒーター３３及び第２ヒーター３４によって加熱された気体をケース４２内において循環させる。これにより、媒体９９の乾燥が促進される。
【００２７】
乾燥装置３１は、第１ヒーター３３の熱を支持部３２に向けて反射する反射板４８を有してもよい。こうすると、第１ヒーター３３の熱を支持部３２に支持される媒体９９に効果的に伝えることができる。
【００２８】
なお、本実施形態における第１ヒーター３３は、支持部３２に支持される媒体９９を直接加熱するヒーター管４１を有する構成であるが、非接触で、支持部３２に支持される媒体９９を加熱できる構成であればよい。例えば、循環路内に加熱部が設けられ、当該加熱部によって加熱された気体が媒体９９に向けて送られる構成であってもよい。
【００２９】
本実施形態の第２ヒーター３４は、シート状の発熱体である。第２ヒーター３４は、第１支持部３６の裏面に取り付けられる。第２ヒーター３４の熱は、第１支持部３６を介して媒体９９に伝わる。これにより、媒体９９が加熱される。
【００３０】
乾燥装置３１において、支持部３２上を搬送される媒体９９が第１ヒーター３３の加熱によって最も高温になる位置であるピーク位置１０１が存在する。ピーク位置１０１は、支持部３２上の位置である。乾燥装置３１において第１ヒーター３３が駆動する一方で、第２ヒーター３４が駆動しない場合、支持部３２上を搬送される媒体９９の温度は、ピーク位置１０１に到達するまで上昇する。
【００３１】
ピーク位置１０１は、例えば、表面に温度センサーが設けられた乾燥状態の媒体９９を一定速度で搬送することにより特定される。すなわち、ピーク位置１０１は、媒体９９に設けられた温度センサーが検出する検出温度に基づき特定される。本実施形態においては、第２ヒーター３４が駆動しない状態で、媒体９９を最も低速度で搬送したときの温度センサーによる検出温度に基づきピーク位置１０１が特定される。
【００３２】
媒体９９を加熱する加熱量と媒体９９を加熱する時間とによって、媒体９９の乾燥具合が定まる。そのため、媒体９９を素早く乾燥させるためには、媒体９９を素早く高温にするとよい。媒体９９を素早く高温にするためには、媒体９９を加熱する温度を上げればよい。しかし、この場合には媒体９９の温度が上がりすぎるおそれがある。媒体９９の温度が上がりすぎると、熱によって媒体９９がダメージを受けるおそれがある。
【００３３】
図２に示すように、支持部３２上を搬送される媒体９９の初期時間を時間Ｔ１とし、時間Ｔ１における媒体９９の初期温度を温度Ｋ１とする。支持部３２上を搬送される媒体９９の温度は、時間の経過とともに上昇する。媒体９９の温度は、時間Ｔ２において最も高温となる。すなわち、媒体９９は、時間Ｔ２においてピーク位置１０１に到達する。媒体９９の温度は、ピーク位置１０１において、第１ヒーター３３の加熱によって最も高温となる温度Ｋ２となる。
【００３４】
温度Ｋ２は、媒体９９の乾燥が促進される温度である。そのため、媒体９９の乾燥効率を上げるためには、媒体９９の温度を素早く温度Ｋ２にまで上昇させることが求められる。一方、媒体９９の温度が温度Ｋ２を超えると、熱によって媒体９９がダメージを受けるおそれがある。
【００３５】
図３に示すように、支持部３２において、第１支持部３６は、第１ヒーター３３及び第２ヒーター３４によって加熱される。支持部３２において、第２支持部３７及び第３支持部３８は、第１ヒーター３３によって加熱される。そのため、支持部３２において第１支持部３６が最も高温になる。
【００３６】
第１ヒーター３３に加えて第２ヒーター３４が媒体９９を加熱することにより、第１ヒーター３３だけで媒体９９を加熱する場合よりも媒体９９を加熱する加熱量が増える。これにより、第１支持部３６において媒体９９が素早く高温にされる。加熱量が増えた反面、媒体９９の温度が上がりすぎるおそれがある。
【００３７】
第１支持部３６と第２支持部３７との境界である第１境界１１１は、搬送方向においてピーク位置１０１よりも上流に位置する。第１境界１１１によって、第１支持部３６から第２支持部３７に熱が伝わりにくくなる。すなわち、第２ヒーター３４の熱が第２支持部３７に伝わりにくいため、第２支持部３７において媒体９９の温度が上がりすぎるおそれを低減できる。これにより、熱によって媒体９９がダメージを受けるおそれを低減できる。
【００３８】
また、支持部３２上を搬送される媒体９９が第１ヒーター３３の加熱によって最も高温になるピーク位置１０１よりも上流に第１境界１１１があることにより、第２支持部３７において媒体９９の温度が下がりすぎるおそれを低減できる。すなわち、第１ヒーター３３の加熱によって媒体９９を高温のまま維持できる。こうすることにより、加熱による媒体９９のダメージを抑制しつつ、媒体９９の乾燥効率を向上できる。
【００３９】
本実施形態において、第２支持部３７を構成する材料の熱伝導率は、第１支持部３６を構成する材料の熱伝導率よりも低い。第１支持部３６は、例えば、アルミ材で構成される。第２支持部３７は、例えば、ＳＵＳ材で構成される。一般的に、アルミ材は、ＳＵＳ材よりも熱伝導率が高い。これにより、第１支持部３６から第２支持部３７へ熱が伝わりにくくなる。すなわち、第２ヒーター３４の熱が第２支持部３７に伝わりにくくなる。これにより、第２支持部３７において媒体９９の温度が上がりすぎるおそれを低減できる。
【００４０】
アルミ材とは、例えばＪＩＳ  Ｈ  ４０００に規定される材料である。本実施形態の第１支持部３６は、Ａ５０５２Ｐで示される材料で構成される。第１支持部３６を熱伝導率の高い材料で構成することにより、媒体９９を効率よく加熱できる。これにより、第１支持部３６において媒体９９を素早く高温にできる。
【００４１】
本実施形態において、第１支持部３６と第３支持部３８との境界である第２境界１１２は、搬送方向において吐出部２８によって液体が吐出される位置よりも下流に位置する。こうすると、搬送方向において第１支持部３６と吐出部２８との間に第３支持部３８が位置するため、第１ヒーター３３及び第２ヒーター３４によって加熱される第１支持部３６の熱が吐出部２８に伝わりにくくなる。これにより、吐出部２８が高温になるおそれを低減できる。
【００４２】
本実施形態において、第１支持部３６と第３支持部３８との境界である第２境界１１２は、吐出部２８を収容する筐体１２の外に位置する。こうすると、筐体１２の外に第１支持部３６が位置するため、第１ヒーター３３及び第２ヒーター３４によって加熱される第１支持部３６の熱が吐出部２８に伝わりにくくなる。これにより、吐出部２８が高温になるおそれを低減できる。
【００４３】
本実施形態において、第１支持部３６と第３支持部３８との境界である第２境界１１２は、第１ヒーター３３に対向する位置に位置する。この場合、第１支持部３６の大部分が第１ヒーター３３と対向する。そのため、第１ヒーター３３及び第２ヒーター３４によって加熱される第１支持部３６の熱を逃げにくくできる。第１支持部３６の大部分が露出する場合、外気によって冷やされるため第１支持部３６の熱が逃げやすい。なお、本実施形態において、第２境界１１２が第１ヒーター３３に対向する、状態とは、第２境界１１２を通る法線であって、支持部３２に支持された媒体９９の法線上に第１ヒーター３３が位置する状態を指す。
【００４４】
本実施形態において、第１支持部３６と第２支持部３７との境界である第１境界１１１は、第１ヒーター３３に対向する位置に位置する。なお、本実施形態において、第１境界１１１が第１ヒーター３３に対向する、状態とは、第１境界１１１を通る法線であって、支持部３２に支持された媒体９９の法線上に第１ヒーター３３が位置する状態を指す。この場合、第１支持部３６の大部分が第１ヒーター３３と対向する。そのため、第１ヒーター３３及び第２ヒーター３４によって加熱される第１支持部３６の熱を逃げにくくできる。特に、本実施形態においては、第１支持部３６の全域が第１ヒーター３３と対向する。そのため、第１支持部３６の熱が一層逃げにくい。
【００４５】
次に、上記実施形態の作用及び効果について説明する。
（１）第１支持部３６と第２支持部３７との境界である第１境界１１１は、搬送方向において支持部３２上を搬送される媒体９９が第１ヒーター３３の加熱によって最も高温になるピーク位置１０１よりも上流に位置する。支持部３２に対向する第１ヒーター３３と、第１支持部３６に取り付けられる第２ヒーター３４とによって、第１支持部３６において媒体９９を高温にできる。これにより、搬送される媒体９９が素早く高温になるため、媒体９９の乾燥が促進される。その一方で、第１支持部３６において高温とされた媒体９９がさらに加熱されると、第２支持部３７において媒体９９の温度が上がりすぎるおそれがある。この場合、熱によって媒体９９がダメージを受けるおそれがある。
【００４６】
これに対し、ピーク位置１０１よりも上流に第１境界１１１がある。第１境界１１１によって、第１支持部３６から第２支持部３７に熱が伝わりにくくなっている。すなわち、第２ヒーター３４の加熱が第２支持部３７に伝わりにくいため、第２支持部３７において媒体９９の温度が上がりすぎるおそれを低減できる。これにより、熱によって媒体９９がダメージを受けるおそれを低減できる。
【００４７】
また、ピーク位置１０１よりも上流に第１境界１１１があることにより、第２支持部３７において媒体９９の温度が下がりすぎるおそれを低減できる。すなわち、第１ヒーター３３の加熱によって媒体９９の温度を高温のまま維持できる。したがって、上記実施形態によれば、熱によって媒体９９がダメージを受けるおそれを低減しつつ、媒体９９の乾燥効率を向上できる。
【００４８】
（２）第２支持部３７を構成する材料の熱伝導率は、第１支持部３６を構成する材料の熱伝導率よりも低い。これにより、第１支持部３６から第２支持部３７へ熱が伝わりにくくなる。第２支持部３７において媒体９９の温度が上がりすぎるおそれを低減できる。
【００４９】
（３）第２境界１１２は、搬送方向において吐出部２８によって液体が吐出される位置よりも下流に位置する。これにより、搬送方向において第１支持部３６と吐出部２８との間に第３支持部３８が位置するため、第１ヒーター３３及び第２ヒーター３４によって加熱される第１支持部３６の熱が吐出部２８に伝わりにくくなる。すなわち、吐出部２８が高温になるおそれを低減できる。
【００５０】
（４）第２境界１１２は、吐出部２８を収容する筐体１２の外に位置する。筐体１２の外に第１支持部３６が位置するため、第１ヒーター３３及び第２ヒーター３４によって加熱される第１支持部３６の熱が吐出部２８に伝わりにくくなる。これにより、吐出部２８が高温となるおそれを低減できる。
【００５１】
（５）第２境界１１２は、第１ヒーター３３に対向する位置に位置する。これにより、第１ヒーター３３及び第２ヒーター３４によって加熱される第１支持部３６の熱を逃げにくくできる。
【００５２】
（６）第１境界１１１は、第１ヒーター３３に対向する位置に位置する。これにより、第１ヒーター３３及び第２ヒーター３４によって加熱される第１支持部３６の熱を逃げにくくできる。
【００５３】
本実施形態は、以下のように変更して実施することができる。本実施形態及び以下の変更例は、技術的に矛盾しない範囲で互いに組み合わせて実施することができる。
・図４に示すように、第１支持部３６と第２支持部３７との境界である第１境界１１１には、隙間があってもよい。すなわち、第１支持部３６の下流端と第２支持部３７の上流端との間に隙間を設けてもよい。第１支持部３６の下流端と第２支持部３７の上流端との間に隙間は、ピーク位置１０１よりも上流に位置する。この変更例によれば、以下の効果を得られる。なお、この場合、第１境界１１１が第１ヒーター３３に対向する、状態とは、支持部３２に支持される媒体９９のうち第１境界１１１を覆う部分の任意の１点を通る法線であって、支持部３２に支持される媒体９９の法線上に第１ヒーター３３が位置する状態を指す。第２境界１１２が第１ヒーター３３に対向する状態についても同様である。
【００５４】
（７）第１境界１１１には、隙間がある。これにより、第１支持部３６から第２支持部３７へ熱が伝わりにくくなる。すなわち、第１支持部３６と第２支持部３７との間に位置する空気が断熱材として機能する。したがって、第２支持部３７において媒体９９の温度が上がりすぎるおそれを低減できる。
【００５５】
この変更例において、第１支持部３６と第３支持部３８との境界である第２境界１１２にも、隙間があってもよい。すなわち、第１支持部３６の上流端と第３支持部３８の下流端との間に隙間を設けてもよい。こうすると、第１支持部３６から第３支持部３８に熱が伝わりにくくなる。これにより、吐出部２８が高温になるおそれを低減できる。
【００５６】
・図５に示すように、第１支持部３６と第２支持部３７との境界である第１境界１１１には、断熱材５１が設けられてもよい。すなわち、第１支持部３６の下流端と第２支持部３７の上流端との間に断熱材５１が設けられてもよい。この変更例において、断熱材５１は、第１支持部３６と第２支持部３７とに挟まれる。この変更例によれば、以下の効果を得られる。この場合も、図４に示される例と同様に、第１境界１１１が第１ヒーター３３に対向する状態、および第２境界１１２が第２ヒーター３４に対向する状態が定義される。
【００５７】
（８）第１支持部３６と第２支持部３７との境界である第２境界１１２には、断熱材５１が設けられる。これにより、第１支持部３６から第２支持部３７へ熱が伝わりにくくなる。すなわち、第２支持部３７において媒体９９の温度が上がりすぎるおそれを低減できる。
【００５８】
この変更例において、第１支持部３６と第３支持部３８との境界である第２境界１１２にも、断熱材５１が設けられてもよい。すなわち、第１支持部３６の上流端と第３支持部３８の下流端との間に断熱材５１が設けられてもよい。この変更例において、断熱材５１は、第１支持部３６と第３支持部３８とに挟まれる。こうすると、第１支持部３６から第３支持部３８に熱が伝わりにくくなる。これにより、吐出部２８が高温になるおそれを低減できる。
【００５９】
・媒体９９は、ロール体１００から繰り出される長尺紙に限らず、単票紙でもよい。媒体９９は、用紙に限らず、布帛でもよい。
・吐出部２８が吐出する液体はインクに限らず、例えば機能材料の粒子が液体に分散又は混合されてなる液状体などでもよい。例えば、吐出部２８が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００６０】
以下に、上述した実施形態及び変更例から把握される技術的思想及びその作用効果を記載する。
乾燥装置は、搬送される媒体を乾燥させる乾燥装置であって、前記媒体を支持する支持部と、前記支持部に対向する第１ヒーターと、前記支持部に取り付けられる第２ヒーターと、を備え、前記支持部は、前記第２ヒーターが取り付けられる第１支持部と、搬送される前記媒体の搬送方向において前記第１支持部よりも下流に位置する第２支持部とを有し、前記第１支持部と前記第２支持部との境界は、前記搬送方向において前記支持部上を搬送される前記媒体が前記第１ヒーターの加熱によって最も高温になるピーク位置よりも上流に位置する。
【００６１】
支持部に対向する第１ヒーターと、第１支持部に取り付けられる第２ヒーターとによって、第１支持部において媒体を高温にできる。これにより、搬送される媒体が素早く高温になるため、媒体の乾燥が促進される。その一方で、第１支持部において高温とされた媒体がさらに加熱されると、第２支持部において媒体の温度が上がりすぎるおそれがある。この場合、熱によって媒体がダメージを受けるおそれがある。
【００６２】
これに対し、支持部上を搬送される媒体が第１ヒーターの加熱によって最も高温になるピーク位置よりも上流に第１支持部と第２支持部との境界がある。この境界によって、第１支持部から第２支持部に熱が伝わりにくくなっている。すなわち、第２ヒーターの加熱が第２支持部に伝わりにくいため、第２支持部において媒体の温度が上がりすぎるおそれを低減できる。これにより、熱によって媒体がダメージを受けるおそれを低減できる。
【００６３】
また、支持部上を搬送される媒体が第１ヒーターの加熱によって最も高温になるピーク位置よりも上流に第１支持部と第２支持部との境界があることにより、第２支持部において媒体の温度が下がりすぎるおそれを低減できる。すなわち、第１ヒーターの加熱によって媒体の温度を高温のまま維持できる。したがって、上記構成によれば、熱によって媒体がダメージを受けるおそれを低減しつつ、媒体の乾燥効率を向上できる。
【００６４】
上記乾燥装置において、前記第２支持部を構成する材料の熱伝導率は、前記第１支持部を構成する材料の熱伝導率よりも低くてもよい。
この構成によれば、第１支持部から第２支持部へ熱が伝わりにくくなる。第２支持部において媒体の温度が上がりすぎるおそれを低減できる。
【００６５】
上記乾燥装置において、前記第１支持部と前記第２支持部との境界には、隙間があってもよい。
この構成によれば、第１支持部から第２支持部へ熱が伝わりにくくなる。これにより、第２支持部において媒体の温度が上がりすぎるおそれを低減できる。
【００６６】
上記乾燥装置において、前記第１支持部と前記第２支持部との境界には、断熱材が設けられてもよい。
この構成によれば、第１支持部から第２支持部へ熱が伝わりにくくなる。これにより、第２支持部において媒体の温度が上がりすぎるおそれを低減できる。
【００６７】
上記乾燥装置において、前記支持部は、吐出部によって液体が吐出される前記媒体を支持し、前記支持部は、前記搬送方向において前記第１支持部よりも上流に位置する第３支持部を有し、前記第１支持部と前記第３支持部との境界は、前記搬送方向において前記吐出部によって前記液体が吐出される位置よりも下流に位置してもよい。
【００６８】
この構成によれば、搬送方向において第１支持部と吐出部との間に第３支持部が位置するため、第１ヒーター及び第２ヒーターによって加熱される第１支持部の熱が吐出部に伝わりにくくなる。これにより、吐出部が高温になるおそれを低減できる。
【００６９】
上記乾燥装置において、前記第１支持部と第３支持部との境界は、前記吐出部を収容する筐体の外に位置してもよい。
この構成によれば、筐体の外に第１支持部が位置するため、第１ヒーター及び第２ヒーターによって加熱される第１支持部の熱が吐出部に伝わりにくくなる。これにより、吐出部が高温となるおそれを低減できる。
【００７０】
上記乾燥装置において、前記第１支持部と前記第３支持部との境界は、前記第１ヒーターに対向する位置に位置してもよい。
この構成によれば、第１ヒーター及び第２ヒーターによって加熱される第１支持部の熱を逃げにくくできる。
【００７１】
上記乾燥装置において、前記第１支持部と前記第２支持部との境界は、前記第１ヒーターに対向する位置に位置してもよい。
この構成によれば、第１ヒーター及び第２ヒーターによって加熱される第１支持部の熱を逃げにくくできる。
【００７２】
液体吐出装置は、媒体を支持する支持部と、前記支持部上の前記媒体を搬送する搬送部と、前記支持部に対向する第１ヒーターと、前記支持部に取り付けられる第２ヒーターと、を備え、前記支持部は、前記第２ヒーターが取り付けられる第１支持部と、搬送される前記媒体の搬送方向において前記第１支持部よりも下流に位置する第２支持部とを有し、前記第１支持部と前記第２支持部との境界は、前記搬送方向において前記支持部上を搬送される前記媒体が前記第１ヒーターの加熱によって最も高温になるピーク位置よりも上流に位置する。
【００７３】
この構成によれば、上述した乾燥装置と同様の効果を得られる。
【符号の説明】
【００７４】
１１…液体吐出装置、１２…筐体、１３…基台、１４…搬送部、１６…載置部、１７…巻取部、１８…テンションバー、２１…第１支持台、２２…第２支持台、２５…第１ローラー、２６…第２ローラー、２８…吐出部、２９…キャリッジ、３１…乾燥装置、３２…支持部、３３…第１ヒーター、３４…第２ヒーター、３６…第１支持部、３７…第２支持部、３８…第３支持部、４１…ヒーター管、４２…ケース、４３…循環部、４４…循環路、４５…ファン、４６…吸気口、４７…送風口、４８…反射板、５１…断熱材、９９…媒体、１００…ロール体、１０１…ピーク位置、１１１…第１境界、１１２…第２境界。
【図１】
2020121501.tif 000003
【図２】
2020121501.tif 000004
【図３】
2020121501.tif 000005
【図４】
2020121501.tif 000006
【図５】
2020121501.tif 000007